(57)【要約】【課題】  宇宙の軌道に於ける、磁気の光子の軌道エネルギーの式はどのようであるか。【解決手段】磁気の光子は軌道を拡大しつつ、自分のエネルギーを減少させる。それは、Ｅ＝定数Ｊ・ｍ÷軌道  の式によって表現できる。地球に於ける式はＥ＝１．１×１０−４１Ｊ・ｍ÷軌道である。それなら、太陽に於ける式はどうであるか。太陽における式を地球のＢ倍のエネルギーであると考えると、Ｅ＝Ｂ×１．１×１０−４１Ｊ・ｍ÷軌道である。それで、Ｂ×１．１×１０−４１Ｊ・ｍ÷（２×太陽と地球の距離）＝６．６×１０−３５Ｊとし、Ｂを算出し、Ｂ×１．１×１０−４１Ｊ÷軌道、によって、太陽の磁気の光子の軌道エネルギーの式を求めた。そして、宇宙の軌道に於ける、磁気の光子の軌道エネルギーの式は、すばる望遠鏡によって多くの星や遠くのクエーサーが見えることから、地球にたどり着く磁気の光子のエネルギーを、６．６×１０−３５Ｊ÷（３．６×１０５）＝１．８３３×１０−４０Ｊとして算出した。【選択図】図２
2005020990.tif 000002
【特許請求の範囲】
【請求項１】
宇宙の軌道において、磁気の光子の軌道エネルギーの式はどのように求められるか。
地球の磁気の光子の軌道エネルギーの式は１．１×１０−４１Ｊ・ｍ÷軌道である。
この式は、軌道がどのような大きさであっても成立する。
ミクロの軌道でも、マクロの軌道でも成立する。
太陽の磁気の光子の軌道エネルギーは地球の軌道エネルギーの何倍かのエネルギーである。
Ｂ倍であるとすると、
太陽に於ける、磁気の光子の軌道エネルギーの式はＢ×１．１×１０−４１Ｊ・ｍ÷軌道です。
それで、地球から太陽の距離は１．４９６×１０１１ｍですから、軌道は、２×１．４９６×１０１１ｍ＝２．９９２×１０１１ｍです。
この軌道エネルギーは６．６×１０−３５Ｊです。
Ｂ×１．１×１０−４１Ｊ・ｍ÷（２．９９２×１０１１）＝６．６×１０−３５Ｊ
Ｂ＝１．７９５２×１０１８
それで、太陽に於ける、磁気の光子の軌道エネルギーの式は、
１．７９５２×１０１８×１．１×１０−４１Ｊ・ｍ÷軌道
＝１．９７４７２×１０−２３Ｊ・ｍ÷軌道です。
それで、肉眼で見える星に於ける、磁気の光子の軌道エネルギーの一般式は、
Ｂ×１．１×１０−４１Ｊ・ｍ÷（２×星と地球の距離ｍ）＝６．６×１０−３５Ｊ、
Ｂ×１．１×１０−４１Ｊ・ｍ÷軌道です。
【請求項２】
太陽の磁気の光子のエネルギーは惑星の軌道ではどれ位か。
太陽の磁気の光子の軌道エネルギーの式は、１．９７４７２×１０−２３Ｊ・ｍ÷軌道である。
それで、太陽の軌道エネルギーは、惑星の軌道では、
Ｅ＝１．９７５×１０−２５Ｊ・ｍ÷（２×太陽と惑星との距離）である。
太陽の軌道エネルギーは、水星の軌道では１．７１×１０−３４Ｊであり、金星の軌道では９．１２×１０−３５Ｊであり、地球では６．６×１０−３５Ｊであり、火星では４．３３×１０−３５Ｊであり、木星では１．２７×１０−３５Ｊであり、土星では６．９１×１０−３６Ｊであり、天王星では３．４３×１０−３６Ｊであり、海王星では２．１９×１０−３６Ｊであり、冥王星では１．６７×１０−３６Ｊである。
これらの値は、前回２００４年１月２４日に特許出願した『光子の軌道とエネルギーと宇宙の軌道』の２２番の、太陽から出発する磁気の光子はどれ位のエネルギーで惑星に到着するか、で得た値とほぼ同じである。
この事から、太陽に於ける、磁気の光子の軌道エネルギーの式は正しいと理解できる。
前回は、磁気の光子は走って自分のエネルギーを消費する、と考えた。
今回は、磁気の光子のエネルギーは全て、軌道エネルギーであると考えた。
光子のエネルギー＝軌道エネルギー  という原理を確立できた。
軌道エネルギーは場のエネルギーによって異なる。
エネルギーの高い場に於いて、軌道エネルギーは大きい。
同じ軌道の長さでも、その場が高エネルギーの場であれば、軌道エネルギーは大きい。
軌道エネルギーは星によって異なる。
軌道エネルギーの式によって、ミクロやマクロの軌道のエネルギーを求める。
星のエネルギーの大きさによって、軌道エネルギーの式は異なる。
宇宙の軌道の大きさによって、軌道エネルギーの式は異なる。
【請求項３】
冬の大６角型であるシリウス、プロキオン、カストル、カペラ、アルデバラン、リゲルに於ける、磁気の光子の軌道エネルギーの式はどれくらいか。
星に於ける、磁気の光子の軌道エネルギーの一般式は、
Ｂ×１．１×１０−４１Ｊ・ｍ÷（２×星と地球との距離ｍ）＝６．６×１０−３５Ｊ
Ｂ×１．１×１０−４１Ｊ・ｍ÷軌道である。
例えば、プロキオンは１１光年ですから、
Ｂ×１．１×１０−４１Ｊ・ｍ÷（２×１１×９．４６×１０１５ｍ）＝６．６×１０−３５Ｊ
Ｂ＝１．２４８７２×１０２４
それで、プロキオンに於ける、磁気の光子の軌道エネルギーの式は、
１．２４９×１０２４×１．１×１０−４１Ｊ・ｍ÷軌道＝１．３７４×１０−１７Ｊ・ｍ÷軌道です。
シリウスの式は、Ｅ＝１．０７４×１０−１７Ｊ・ｍ÷軌道。
プロキオンの式は、Ｅ＝１．３７４×１０−１７Ｊ・ｍ÷軌道。
カペラの式は、Ｅ＝４．９９４×１０−１７Ｊ・ｍ÷軌道。
カストルの式は、Ｅ＝６．２４４×１０−１７Ｊ・ｍ÷軌道。
アンデバランの式は、Ｅ＝７．４９×１０−１７Ｊ・ｍ÷軌道。
リゲルの式は、Ｅ＝８．７４１×１０−１６Ｊ・ｍ÷軌道です。
【請求項４】
星において、磁気の光子の軌道エネルギーの式は何を示すか。
星に於ける、磁気の光子の軌道エネルギーの式はその星のエネルギーの大きさを示す。
Ｂの値は、地球のエネルギーを１とした場合の星のエネルギーの大きさを示す。
太陽は、１．８×１０１８倍。シリウスは９．７６×１０２３倍。プロキオンは１．２４９×１０２４倍。
カペラは４．５４×１０２４倍。カストルは５．６７６×１０２４倍。アンテバランは６．８１１×１０２４倍。
リゲルは７．９４６×１０２５倍です。
【請求項５】
星の磁気の光子のエネルギーは太陽の磁気の光子のエネルギーの何倍か。
星から出発する磁気の光子のエネルギーは、太陽から出発する磁気の光子のエネルギーの何倍か。
太陽と星の磁気の光子のエネルギーの比較は、
星と太陽のＢの値の比較、星と太陽の軌道エネルギーの式の比較でわかる。
シリウスは、９．７６×１０２３÷（１．８×１０１８）＝５．４２２×１０５倍。
プロキオンは、１．２４×１０２４÷（１．８×１０１８）＝６．８９×１０５倍。
カペラは、４．５４×１０２４÷（１．８×１０１８）＝２．５２２×１０６倍。
カストルは、５．６７６×１０２４÷（１．８×１０１８）＝３．１５×１０６倍。
アルテバランは、６．８１１×１０２４÷（１．８×１０１８）＝３．７８４×１０６倍。
リゲルは、７．９４６×１０２５÷（１．８×１０１８）＝４．４１４×１０７倍です。
この値は、前回２００４年１月２４日特許出願した『光子の軌道とエネルギーと宇宙の軌道』の２５番、星から出発する磁気の光子のエネルギーは太陽から出発する磁気の光子のエネルギーの何倍か、とほぼ同じ値である。
この事によって、磁気の光子のエネルギーは、Ｅ＝定数Ｊ・ｍ÷軌道  の式が成立し、軌道の大きさはマクロの大きさでも成立することが証明できた。
そして、肉眼で見える場合の星に於ける、磁気の光子の軌道エネルギーの式は正しいことが理解できる。
【請求項６】
宇宙の軌道に於ける、磁気の光子の軌道エネルギーの式はどのようであるか。
肉眼で見える星の場合は、
Ｂ×１．１×１０−４１Ｊ・ｍ÷（２×軌道）＝６．６×１０−３５Ｊ
Ｂ×１．１×１０−４１Ｊ・ｍ÷軌道である。
すばる望遠鏡（倍率を３．６×１０５とする）で見える場合は、
Ｂ×１．１×１０−４１Ｊ・ｍ÷（２×軌道）×３．６×１０５＝６．６×１０−３５Ｊ
Ｂ×１．１×１０−４１Ｊ・ｍ÷軌道である。
大部分の星やクエーサーはすばる望遠鏡で見えるから、すばる望遠鏡で見える場合で計算する。
軌道がＴ光年の場合。
Ｂ×１．１×１０−４１Ｊ・ｍ÷（２×Ｔ×９．４６×１０１５ｍ）×３．６×１０５＝６．６×１０−３５Ｊ
Ｂ＝３．１５３×１０１７×Ｔ
それで、式は、
Ｂ×１．１×１０−４１Ｊ・ｍ÷軌道
＝３．１５３×１０１７×Ｔ×１．１×１０−４１Ｊ・ｍ÷軌道
＝３．４６８×１０−２４×ＴＪ・ｍ÷軌道である。
又、Ｂ×１．１×１０−４１＝Ｃとして式を作ることができる。
軌道エネルギー＝ＣＪ・ｍ÷軌道  として軌道エネルギーを求めることができる。
軌道がＴ光年の場合、
ＣＪ・ｍ÷（２×Ｔ×９．４６×１０１５ｍ）×３．６×１０５＝６．６×１０−３５Ｊ
Ｃ＝３．４６８×１０−２４×Ｔ
それで、式は、
ＣＪ・ｍ÷軌道
＝３．４６８×１０−２４×ＴＪ・ｍ÷軌道である。
宇宙の軌道は、
１光年の軌道に於ける、磁気の光子の軌道エネルギーの式は、３．４６８×１０−２４Ｊ・ｍ÷軌道である。
１０ｎ光年の軌道に於ける、磁気の光子の軌道エネルギーの式は、３．４６８×１０−２４＋ｎＪ・ｍ÷軌道である。
１０光年の軌道に於いては、３．４６８×１０−２３Ｊ・ｍ÷軌道。
１００光年の軌道に於いては、３．４６８×１０−２２Ｊ・ｍ÷軌道。
１０００光年の軌道に於いては、３．４６８×１０−２１Ｊ・ｍ÷軌道。
１万光年の軌道に於いては、３．４６８×１０−２０Ｊ・ｍ÷軌道。
１０万光年の軌道に於いては、３．４６８×１０−１９Ｊ・ｍ÷軌道。
１００万光年の軌道に於いては、３．４６８×１０−１８Ｊ・ｍ÷軌道。
１０００万光年の軌道に於いては、３．４６８×１０−１７Ｊ・ｍ÷軌道。
１億光年の軌道に於いては、３．４６８×１０−１６Ｊ・ｍ÷軌道。
１０億光年の軌道に於いては、３．４６８×１０−１５Ｊ・ｍ÷軌道。
１００億光年の軌道に於いては、３．４６８×１０−１４Ｊ・ｍ÷軌道である。
【請求項７】
宇宙の軌道エネルギーは地球の軌道エネルギーの何倍か。エネルギー密度は地球の何倍か。
エネルギー密度の比較は、軌道エネルギー÷軌道エネルギーである
地球の軌道エネルギーは、１．１×１０−４１Ｊ・ｍ÷軌道である。
太陽の軌道エネルギーは、１．９７５×１０−２３Ｊ・ｍ÷軌道である。
それで、太陽の軌道エネルギーは地球の軌道エネルギーの、
１．９７５×１０−２３÷（１．１×１０−４１）＝１．７９５×１０１８倍です。
この場合は、肉眼で見えるとして計算した。それで、軌道エネルギーはすばる望遠鏡で見える場合の３．６×１０５倍となっている。
１光年の軌道エネルギーは地球の軌道エネルギーの、
３．４６８×１０−２４÷（１．１×１０−４１）＝３．１５３×１０１７倍です。
この場合は、すばる望遠鏡で見えるとして計算した。それで、太陽の軌道エネルギーより小さい。
１０ｎ光年の軌道エネルギーは地球の軌道エネルギーの、
３．４６８×１０−２４＋ｎ÷（１．１×１０−４１）＝３．１５３×１０１７＋ｎ倍です。
地球の軌道エネルギーを１とすると、
１光年の軌道に於いては、３．１５３×１０１７倍です。
１０光年の軌道に於いては、３．１５３×１０１８倍です。
１００光年の軌道に於いては、３．１５３×１０１９倍です。
１０００光年の軌道に於いては、３．１５３×１０２０倍です。
１万光年の軌道に於いては、３．１５３×１０２１倍です。
１０万光年の軌道に於いては、３．１５３×１０２２倍です。
１００万光年の軌道に於いては、３．１５３×１０２３倍です。
１０００万光年の軌道に於いては、３．１５３×１０２４倍です。
１億光年の軌道に於いては、３．１５３×１０２５倍です。
１０億光年の軌道に於いては、３．１５３×１０２６倍です。
１００億光年の軌道に於いては、３．１５３×１０２７倍です。
地球の軌道エネルギーは太陽の軌道エネルギーの１．１×１０−４１÷（１．９７５×１０−２３）＝５．５７×１０−１９倍である。
この事は、地球は岩石であり、地球のエネルギーは太陽のエネルギーの一部分を受けているだけであることを示している。
遠くの宇宙の軌道ほどエネルギー密度は大きい。
それで、遠くの星ほどエネルギー密度は大きい。
ビッグバンに近いクエーサーや星ほどエネルギー密度は大きい。
ビッグバンのエネルギー密度は１番大きい。
１５０億光年の軌道のエネルギー密度は、地球を１とした場合、
１００億光年の１．５倍であるから、１．５×３．１５３×１０２７＝４．５７９５×１０２７倍である。
このエネルギー密度の比較はインフレーション後のエネルギー密度の比較である。
【請求項８】
宇宙の軌道において、大きさはどれ位になるか。
大きさはエネルギー密度分の１であるから、
地球においての大きさを１とすると、
太陽に於いては、１÷（１．７９５×１０１８）＝５．５７１×１０−１９倍です。
１光年の軌道に於いては、１÷（３．１５３×１０１７）＝３．１７２×１０−１８倍です。
１０ｎ光年の軌道に於いては、３．１７２×１０−１８−ｎ倍です。
１０光年の軌道に於いては、３．１７２×１０−１９倍です。
１００光年の軌道に於いては、３．１７２×１０−２０倍です。
１０００光年の軌道に於いては、３．１７２×１０−２１倍です。
１万光年の軌道に於いては、３．１７２×１０−２２倍です。
１０万光年の軌道に於いては、３．１７２×１０−２３倍です。
１００万光年の軌道に於いては、３．１７２×１０−２４倍です。
１０００万光年の軌道に於いては、３．１７２×１０−２５倍です。
１億光年の軌道に於いては、３．１７２×１０−２６倍です。
１０億光年の軌道に於いては、３．１７２×１０−２７倍です。
１００億光年の軌道に於いては、３．１７２×１０−２８倍です。
この事は、地球はいかに物の大きさが大きいかを示している。
磁気の光子の軌道は原子の大きさの１／２である。（磁気の光子は電子のラブをクロス回転していると考えるから。）
それで、磁気の光子の大きさの比較は原子の大きさの比較である。
磁気の光子の軌道が大きいほど原子の大きさは大きい。
地球の原子の大きさは、太陽の原子の大きさの１．９７５×１０−２３÷（１．１×１０−４１）＝１．７９５×１０１８倍である。
地球の原子の大きさが１０−９ｍであるとすると、太陽の原子の大きさは、１０−９ｍ×５．５７１×１０−１９＝５．５７１×１０−２８ｍである。
１００億光年のクエーサーの原子の大きさは、１０−９ｍ×３．１７２×１０−２８＝３．１７２×１０−３７ｍである。
遠くの軌道ほど原子の大きさは小さい。
【請求項９】
宇宙の軌道に於いて、磁気の光子のエネルギーはどれ位か。
宇宙の軌道に於ける、磁気の光子のエネルギーを、各々の軌道エネルギーの式によって求める。
例えば、１００億光年に於ける、磁気の光子の軌道エネルギーの式によって求める場合。
１００億光年の軌道を中心に、１０５光年の軌道（地球から１０５光年の軌道）の軌道エネルギーは、３．４６８×１０−１４Ｊ・ｍ÷（２×１０５×９．４６×１０１５ｍ）＝１．８３３×１０−３５Ｊです。
１００億光年の軌道を中心に、１０８光年の軌道（地球から１０２光年の軌道）の軌道エネルギーは、３．４６８×１０−１４Ｊ・ｍ÷（２×１０８×９．４６×１０１５ｍ）＝１．８３３×１０−３８Ｊです。
１００億光年の軌道を中心に、１０１０光年の軌道（地球のある軌道）の軌道エネルギーは、３．４６８×１０−１４Ｊ・ｍ÷（２×１０１０×９．４６×１０１５ｍ）＝１．８３３×１０−４０Ｊです。
一般式で説明する。
１０ｎ光年を中心に、１０ｎ光年の式を使って、１０ｍ光年の軌道エネルギーを求めると、軌道は２×１０ｎ−ｍ光年である。例えば、１０１０光年を中心に、１０１０光年の式を使って、１０２光年の軌道エネルギーを求めると、軌道は１０１０−２＝１０８光年である。
それで、１０ｎ光年の軌道に於ける、磁気の光子の軌道エネルギーの式は、３．４６８×１０−２４＋ｎＪ・ｍ÷軌道ですから、
１０ｍ光年の軌道エネルギーは、
３．４６８×１０−２４＋ｎＪ・ｍ÷（２×１０ｎ−ｍ×９．４６×１０１５ｍ）＝１．８３３×１０−４０＋ｍＪである。
このように、宇宙の軌道に於ける、磁気の光子のエネルギーは一定です。
地球の軌道では、１．８３３×１０−４０Ｊです。
１０光年の軌道では、１．８３３×１０−３９Ｊです。
１００光年の軌道では、１．８３３×１０−３８Ｊです。
１０００光年の軌道では、１．８３３×１０−３７Ｊです。
１万光年の軌道では、１．８３３×１０−３６Ｊです。
１０万光年の軌道では、１．８３３×１０−３５Ｊです。
１００万光年の軌道では、１．８３３×１０−３４Ｊです。
１０００万光年の軌道では、１．８３３×１０−３３Ｊです。
１億光年の軌道では、１．８３３×１０−３２Ｊです。
１０億光年の軌道では、１．８３３×１０−３１Ｊです。
１００億光年の軌道では、１．８３３×１０−３０Ｊです。
【請求項１０】
宇宙の軌道に於ける、磁気の光子のエネルギーが前回と今回では異なるのはどうしてか。
前回、２００４年１月２４日に提出した特許出願『光子の軌道とエネルギーと宇宙の軌道』の４９番で、距離（宇宙の軌道）に於ける磁気の光子１個のエネルギーの値を算出した。
この値は、
Ａ×９．４８７×１０４Ｊ・ｍ÷軌道ｍ×３．６×１０５＝６．６×１０−３５Ｊ
軌道をＴ光年とすると、
Ａ×９．４８７×１０４Ｊ・ｍ÷（２×Ｔ×９．４６×１０１５ｍ）×３．６×１０５＝６．６×１０−３５Ｊ
Ａ＝３．６７×１０−２９Ｊ×Ｔ
この式からＴ光年から出発した磁気の光子のエネルギーＡを求めた。
それをマクロの軌道（宇宙の軌道）の磁気の光子のエネルギーとした。
今回は、１個の磁気の光子の軌道エネルギーの式から求めた。
ＣＪ・ｍ÷（２×Ｔ×９．４６×１０１５ｍ）×３．６×１０５＝６．６×１０−３５Ｊ
Ｃ＝３．４６８３×１０−２４×Ｔ
３．４６８×１０−２４×ＴＪ・ｍ÷軌道
この式からＴ光年の軌道に於ける磁気の光子の軌道エネルギーの式を求めた。
そして、その式によって、宇宙の軌道に於ける磁気の光子のエネルギーを求めた。
それで、Ｃの値は、前回の磁気の光子１個のエネルギー＝Ａの（９．４８７×１０４）倍の値となった。
地球のある軌道の磁気の光子のエネルギーが１．８３３×１０−４０Ｊであるのは、６．６×１０−３５Ｊ÷（３．６×１０５）＝１．８３３×１０−４０Ｊとしたからである。
【請求項１１】
宇宙の軌道の長さ×宇宙の軌道に於ける磁気の光子の軌道エネルギーは一定である。
宇宙の軌道１０ｎ光年に於ける磁気の光子の軌道エネルギーは３．４６８×１０−２４＋ｎＪ・ｍ÷軌道である。
宇宙の軌道は、地球の存在する軌道を１５０億光年とすると、
地球の存在する軌道＝１５０×１０８×２×９．４６×１０１５ｍ＝２．８３８×１０２５ｍそれで、０光年の軌道の長さは、２．８３８×１０２５ｍであり、
１０光年の軌道の長さはその１／１０である。
１０ｎ光年の軌道の長さは、１０−ｎ倍である。
１０ｎ光年の軌道の長さは、２．８３８×１０２５×１０−ｎである。
それで、
宇宙の軌道の長さ×宇宙の軌道に於ける磁気の光子の軌道エネルギーの式
＝２．８３８×１０２５ｍ×１０−ｎ×３．４６８×１０−２４＋ｎＪ・ｍ÷軌道
＝９．８４２×１０Ｊ・ｍ÷軌道であり、一定である。
又、宇宙の軌道の円周の長さ×宇宙の軌道に於ける磁気の光子の軌道エネルギーも一定である。
宇宙の軌道の円周の長さ＝２πｒ＝π×軌道＝π×２．８３８×１０２５×１０−ｎであるから、宇宙の軌道の円周の長さ×宇宙の軌道に於ける磁気の光子の軌道エネルギーの式
＝π×２．８３８×１０２５×１０−ｎ×３．４６８×１０−２４＋ｎＪ・ｍ÷軌道
＝π×９．８４２×１０Ｊ・ｍ÷軌道  であり、一定である。
【発明の詳細な説明】
【技術分野】
【０００１】この発明は宇宙の軌道における磁気の光子の軌道エネルギーの式に関する。
【背景技術】
【０００２】従来、宇宙の軌道に於いて、その軌道に存在する星や銀河に於ける、磁気の光子の軌道エネルギーはどのようになっているのか、磁気の光子の軌道エネルギーを求める式はできていない。
【本発明が解決しようとする課題】
【０００３】１、宇宙の軌道において、磁気の光子の軌道エネルギーの式はどのように求められるか。
２、太陽の磁気の光子のエネルギーは惑星の軌道ではどれ位か。
３、冬の大６角型である、シリウス、プロキオン、カストル、カペラ、アルテバラン、リ    ゲルに於ける、磁気の光子の軌道エネルギーの式はどれ位か。
４、星に於いて、磁気の光子の軌道エネルギーの式は何を示すか。
５、星の磁気の光子のエネルギーは、太陽の磁気の光子のエネルギーの何倍か。
６、宇宙の軌道に於ける、磁気の光子の軌道エネルギーの式はどのようであるか。
７、宇宙の軌道エネルギーは地球の軌道エネルギーの何倍か。エネルギー密度は地球の何    倍か。
８、宇宙の軌道に於いて、大きさはどれ位か。
９、宇宙の軌道に於いて、磁気の光子のエネルギーはどれ位か。
１０、  宇宙の軌道に於ける、磁気の光子のエネルギーが前回と今回では異なるのはどう    してか。
１１、  宇宙の軌道の長さ×宇宙の軌道に於ける磁気の光子の軌道エネルギーは一定であ    る。
【課題を解決するための手段】
【０００４】  本発明者は、２０００４年１月２４日特許出願した『光子の軌道とエネルギーと宇宙の軌道』において、Ａ×９．４８７×１０４Ｊ÷（２×走った距離）＝６．６×１０−３５Ｊ及び、Ａ×９．４８７×１０４Ｊ÷（２×距離）×３．６×１０５＝６．６×１０−３５Ｊの式によって、出発した磁気の光子の軌道エネルギーを求めた。その磁気の光子の軌道を宇宙の軌道とした。
今回は、１個の磁気の光子によって、宇宙の軌道に於ける磁気の光子の軌道エネルギーの式を求める。地球において磁気の光子の軌道エネルギーの式があるように、宇宙の軌道においても、磁気の光子の軌道エネルギーの式がある。この式によって、宇宙の軌道に於けるエネルギーの大きさの比較ができる。そして、宇宙の軌道に於けるエネルギー密度や大きさの比較ができる。
【発明の実施態様】
【０００５】１  宇宙の軌道において、磁気の光子の軌道エネルギーの式はどのように求められるか。
地球の磁気の光子の軌道エネルギーの式は１．１×１０−４１Ｊ・ｍ÷軌道である。（図１）
この式は、軌道がどのような大きさであっても成立する。
ミクロの軌道でも、マクロの軌道でも成立する。
例えば、軌道が１０−１０ｍの場合、磁気の光子のエネルギーは、
１．１×１０−４１Ｊ・ｍ÷１０−１０ｍ＝１．１×１０−３１Ｊである。
例えば、軌道が２×１００億光年の場合、磁気の光子のエネルギーは、
１．１×１０−４１Ｊ・ｍ÷（２×９．４６×１０１５×１０１０ｍ）＝５．８１３９５×１０−６８Ｊである。
このように、ミクロの軌道においても、マクロの軌道においても、磁気の光子の式は適応できる。
太陽においても適応できる。
太陽の磁気の光子の軌道エネルギーは地球の軌道エネルギーの何倍かのエネルギーである。
Ｂ倍であるとすると、
太陽に於ける、磁気の光子の軌道エネルギーの式はＢ×１．１×１０−４１Ｊ・ｍ÷軌道です。
それで、地球から太陽の距離は１．４９６×１０１１ｍですから、軌道は、２×１．４９６×１０１１ｍ＝２．９９２×１０１１ｍです。
この軌道エネルギーは６．６×１０−３５Ｊです。
Ｂ×１．１×１０−４１Ｊ・ｍ÷（２．９９２×１０１１）＝６．６×１０−３５Ｊ
Ｂ＝１．７９５２×１０１８
それで、太陽に於ける、磁気の光子の軌道エネルギーの式は、
１．７９５２×１０１８×１．１×１０−４１Ｊ・ｍ÷軌道
＝１．９７４７２×１０−２３Ｊ・ｍ÷軌道です。
肉眼で見える星に於ける、磁気の光子の軌道エネルギーの一般式は、
Ｂ×１．１×１０−４１Ｊ・ｍ÷（２×星と地球の距離ｍ）＝６．６×１０−３５Ｊ
Ｂ×１．１×１０−４１Ｊ・ｍ÷軌道です。
２  太陽の磁気の光子のエネルギーは惑星の軌道でどれ位か。
太陽の磁気の光子の軌道エネルギーの式は、
１．９７５×１０−２３Ｊ・ｍ÷軌道＝１．９７５×１０−２３Ｊ・ｍ÷（２×太陽と惑星との距離）である。（図２）
水星との距離は５．７９×１０１０ｍですから、
１．９７５×１０−２３Ｊ・ｍ÷（２×５．７９×１０１０ｍ）＝１．７１×１０−３４Ｊ
水星の軌道では、太陽の磁気の光子のエネルギーは、１．７１×１０−３４Ｊです。
金星との距離は１．０８２×１０１１ｍですから、
１．９７５×１０−２３Ｊ・ｍ÷（２×１．０８２×１０１１ｍ）＝９．１２×１０−３５Ｊ
金星の軌道では、太陽の磁気の光子のエネルギーは、９．１２×１０−３５Ｊです。
地球との距離は１．４９６×１０１１ｍですから、
１．９７５×１０−２３Ｊ・ｍ÷（２×１．４９６×１０１１ｍ）＝６．６×１０−３５Ｊです。
地球の軌道では、太陽の磁気の光子エネルギーは、６．６×１０−３５Ｊです。
火星との距離は２．２７９×１０１１ｍですから、
１．９７５×１０−２３Ｊ・ｍ÷（２×２．２７９×１０１１ｍ）＝４．３３×１０−３５Ｊです。
火星の軌道では、太陽の磁気の光子のエネルギーは、４．３３×１０−３５Ｊです。
木星の距離は７．７８３×１０１１ｍですから、
１．９７５×１０−２３Ｊ・ｍ÷（２×７．７８３×１０１１ｍ）＝１．２７×１０−３５Ｊ
木星の軌道では、太陽の磁気の光子のエネルギーは、１．２７×１０−３５Ｊです。
土星との距離は１４．２９４×１０１１ｍですから、
１．９７５×１０−２３Ｊ・ｍ÷（２×１４．２９４×１０１１ｍ）＝６．９１×１０−３６Ｊ
土星の軌道では、太陽の磁気の光子のエネルギーは、６．９１×１０−３６Ｊです。
天王星との距離は２８．７５０×１０１１ｍですから、
１．９７５×１０−２３Ｊ・ｍ÷（２×２８．７５×１０１１ｍ）＝３．４３×１０−３６Ｊ
天王星の軌道では、太陽の磁気の光子のエネルギーは、３．４３×１０−３６Ｊです。
海王星との距離は４５．０４４×１０１１ｍですから、
１．９７５×１０−２３Ｊ・ｍ÷（２×４５．０４４×１０１１ｍ）＝２．１９×１０−３６Ｊ
海王星の軌道では、太陽の磁気の光子のエネルギーは、２．１９×１０−３６Ｊです。
冥王星との距離は５９．１５２×１０１１ｍであるから、
１．９７５×１０−２３Ｊ・ｍ÷（２×５９．１５２×１０１１ｍ）＝１．６７×１０−３６Ｊ
冥王星の軌道では、太陽の磁気の光子のエネルギーは、１．６７×１０−３６Ｊです。
これらの値は、前回２００４年１月２４日に特許出願した『光子の軌道とエネルギーと宇宙の軌道』の２２番の、太陽から出発する磁気の光子はどれ位のエネルギーで惑星に到着するか、で得た値とほぼ同じである。
この事から、太陽に於ける、磁気の光子の軌道エネルギーの式は正しいと理解できる。
前回は、磁気の光子は走って自分のエネルギーを消費する、と考えた。
今回は、磁気の光子のエネルギーは全て、軌道エネルギーであると考えた。
磁気の光子のエネルギー＝軌道エネルギー  という原理を確立できた。
軌道エネルギーは場によって異なる。
エネルギーの高い場に於いて、軌道エネルギーは大きい。
同じ軌道の長さでも、その場が高エネルギーの場であれば、軌道エネルギーは大きい。
軌道エネルギーは星によって異なる。
その場に於ける軌道エネルギーの式によって、磁気の光子のエネルギーを求める。
星のエネルギーの大きさによって、軌道エネルギーの式は異なる。
宇宙の軌道の大きさによって、軌道エネルギーの式は異なる。
３  冬の大６角型であるシリウス、プロキオン、カストル、カペラ、アルデバラン、リゲルに於ける、磁気の光子の軌道エネルギーの式はどれくらいか。
肉眼で見える星に於ける、磁気の光子の軌道エネルギーの一般式、
Ｂ×１．１×１０−４１Ｊ・ｍ÷（２×地球と星の距離ｍ）＝６．６×１０−３５Ｊ
Ｂ×１．１×１０−４１Ｊ・ｍ÷軌道  の式によって求める。（図３）
シリウスは８．６光年ですから、
Ｂ×１．１×１０−４１÷（２×８．６×９．４６×１０１５ｍ）＝６．６×１０−３５Ｊ
Ｂ＝９．７６×１０２３
それで、シリウスに於ける、磁気の光子の軌道エネルギーの式は、
９．７６×１０２３×１．１×１０−４１÷軌道＝１．０７３６×１０−１７Ｊ・ｍ÷軌道です。
プロキオンは１１光年ですから、
Ｂ×１．１×１０−４１Ｊ・ｍ÷（２×１１×９．４６×１０１５ｍ）＝６．６×１０−３５Ｊ
Ｂ＝１．２４８７２×１０２４
それで、プロキオンに於ける、磁気の光子の軌道エネルギーの式は、
１．２４９×１０２４×１．１×１０−４１Ｊ・ｍ÷軌道＝１．３７４×１０−１７Ｊ・ｍ÷軌道です。
カペラは４０光年ですから、
Ｂ×１．１×１０−４１Ｊ・ｍ÷（２×４０×９．４６×１０１５ｍ）＝６．６×１０−３５Ｊ
Ｂ＝４．５４×１０２４
それで、カペラに於ける、磁気の光子の軌道エネルギーの式は、
４．５４×１０２４×１．１×１０−４１Ｊ・ｍ÷軌道＝４．９９４×１０−１７Ｊ・ｍ÷軌道です。
カストルは５０光年ですから、
Ｂ×１．１×１０−４１Ｊ・ｍ÷（２×５０×９．４６×１０１５ｍ）＝６．６×１０−３５Ｊ
Ｂ＝５．６７６×１０２４
それで、カストルに於ける、磁気の光子の軌道エネルギーの式は、
５．６７６×１０２４×１．１×１０−４１Ｊ・ｍ÷軌道＝６．２４３６×１０−１７Ｊ・ｍ÷軌道です。
アンテバランは６０光年ですから、
Ｂ×１．１×１０−４１Ｊ・ｍ÷（２×６０×９．４６×１０１５ｍ）＝６．６×１０−３５Ｊ
Ｂ＝６．８１１２×１０２４
それで、アンテバランに於ける、磁気の光子の軌道エネルギーの式は、
６．８１１２×１０２４×１．１×１０−４１Ｊ・ｍ÷軌道＝７．４９２３２×１０−１７Ｊ・ｍ÷軌道です。
リゲルは７００光年ですから、
Ｂ×１．１×１０−４１Ｊ・ｍ÷（２×７００×９．４６×１０１５ｍ）＝６．６×１０−３５Ｊ
Ｂ＝７．９４６４×１０２５
それで、リゲルに於ける、磁気の光子の軌道エネルギーの式は、
７．９４６４×１０２５×１．１×１０−４１Ｊ・ｍ÷軌道＝８．７４１×１０−１６Ｊ・ｍ÷軌道です。
リゲルの磁気の光子のエネルギーはアンテバランの、
８．７４１×１０−１６÷（７．４９２×１０−１７）＝１１．６６７倍です。
リゲルの磁気の光子のエネルギーはシリウスの、
８．７４１×１０−１６÷（１．０７３６×１０−１７）＝８１．４倍です。
それで、リゲルは遠いけれども、軌道エネルギーが大きいので、大きな軌道＝２×７００×９．４６×１０１５ｍのエネルギーが可視光になっている。
４  星において、磁気の光子の軌道エネルギーの式は何を示すか。
星に於ける、磁気の光子の式のＢはその星のエネルギーの大きさを示す。
地球のエネルギーを１とすると、
太陽は、１．８×１０１８倍。シリウスは９．７６×１０２３倍。  プロキオンは１．２４９×１０２４倍。
カペラは４．５４×１０２４倍。カストルは５．６７６×１０２４倍。  アンテバランは６．８１１×１０２４倍。
リゲルは７．９４６×１０２５倍です。
５  星の磁気の光子のエネルギーは太陽の磁気の光子のエネルギーの何倍か。
星から出発する磁気の光子のエネルギーは、太陽から出発する磁気の光子のエネルギーの何倍か。
太陽と星のエネルギーの比較は、
星のＢの値÷太陽のＢの値  で求められる。
星の軌道エネルギーの式÷太陽の軌道エネルギーの式  で求められる。
太陽のエネルギーと星のエネルギーの比較は、星から出発する磁気の光子のエネルギーの比較である。
シリウスは、９．７６×１０２３÷（１．８×１０１８）＝５．４２２×１０５倍。
プロキオンは、１．２４×１０２４÷（１．８×１０１８）＝６．８９×１０５倍。
カペラは、４．５４×１０２４÷（１．８×１０１８）＝２．５２２×１０６倍。
カストルは、５．６７６×１０２４÷（１．８×１０１８）＝３．１５×１０６倍。
アルテバランは、６．８１１×１０２４÷（１．８×１０１８）＝３．７８４×１０６倍。
リゲルは、７．９４６×１０２５÷（１．８×１０１８）＝４．４１４×１０７倍です。
この値は、前回２００４年１月２４日特許出願した『光子の軌道とエネルギーと宇宙の軌道』の２５番、星から出発する磁気の光子のエネルギーは太陽から出発する磁気の光子のエネルギーの何倍か、とほぼ同じ値である。
この事によって、磁気の光子のエネルギーは、Ｅ＝定数Ｊ・ｍ÷軌道  の式が成立し、軌道の大きさはマクロの大きさでも成立することが証明できた。
そして、肉眼で見える場合の星に於ける、磁気の光子の軌道エネルギーの式は正しいことが理解できる。
６  宇宙の軌道に於ける、磁気の光子の軌道エネルギーの式はどのようであるか。
肉眼で見える場合は、
Ｂ×１．１×１０−４１Ｊ・ｍ÷（２×軌道）＝６．６×１０−３５Ｊ
Ｂ×１．１×１０−４１Ｊ・ｍ÷軌道である。
すばる望遠鏡（倍率を３．６×１０５とする）で見える場合は、
Ｂ×１．１×１０−４１Ｊ・ｍ÷（２×軌道）×３．６×１０５＝６．６×１０−３５Ｊ
Ｂ×１．１×１０−４１Ｊ・ｍ÷軌道である。（図４）
大部分の星はすばる望遠鏡で見え、クエーサーもすばる望遠鏡で見えるから、すばる望遠鏡で見える場合で計算する。
軌道がＴ光年の場合。
Ｂ×１．１×１０−４１Ｊ・ｍ÷（２×Ｔ×９．４６×１０１５ｍ）×３．６×１０５＝６．６×１０−３５Ｊ
Ｂ＝３．１５３×１０１７×Ｔ
それで、式は、
Ｂ×１．１×１０−４１Ｊ・ｍ÷軌道
＝３．１５３×１０１７×Ｔ×１．１×１０−４１Ｊ・ｍ÷軌道
＝３．４６８×１０−２４×ＴＪ・ｍ÷軌道である。
又、Ｂ×１．１×１０−４１＝Ｃとして式を作ることができる。
軌道エネルギー＝ＣＪ・ｍ÷軌道として軌道エネルギーを求めることができる。
軌道がＴ光年の場合、
ＣＪ・ｍ÷（２×Ｔ×９．４６×１０１５ｍ）×３．６×１０５＝６．６×１０−３５Ｊ
Ｃ＝３．４６８×１０−２４×Ｔ
それで、式は、
ＣＪ・ｍ÷軌道
＝３．４６８×１０−２４×ＴＪ・ｍ÷軌道である。
それで、宇宙の軌道は、
１光年の軌道に於ける、磁気の光子の軌道エネルギーの式は、３．４６８×１０−２４Ｊ・ｍ÷軌道です。
１０ｎ光年の軌道に於ける、磁気の光子の軌道エネルギーの式は、３．４６８×１０−２４＋ｎＪ・ｍ÷軌道です。
１０光年の軌道に於いては、３．４６８×１０−２３Ｊ・ｍ÷軌道。
１００光年の軌道に於いては、３．４６８×１０−２２Ｊ・ｍ÷軌道。
１０００光年の軌道に於いては、３．４６８×１０−２１Ｊ・ｍ÷軌道。
１万光年の軌道に於いては、３．４６８×１０−２０Ｊ・ｍ÷軌道。
１０万光年の軌道に於いては、３．４６８×１０−１９Ｊ・ｍ÷軌道。
１００万光年の軌道に於いては、３．４６８×１０−１８Ｊ・ｍ÷軌道。
１０００万光年の軌道に於いては、３．４６８×１０−１７Ｊ・ｍ÷軌道。
１億光年の軌道に於いては、３．４６８×１０−１６Ｊ・ｍ÷軌道。
１０億光年の軌道に於いては、３．４６８×１０−１５Ｊ・ｍ÷軌道。
１００億光年の軌道に於いては、３．４６８×１０−１４Ｊ・ｍ÷軌道です。
７  宇宙の軌道エネルギーは地球の軌道エネルギーの何倍か。エネルギー密度は地球の何倍か。
エネルギー密度の比較は、軌道エネルギー÷軌道エネルギーである
地球の軌道エネルギーは、１．１×１０−４１Ｊ・ｍ÷軌道である。
太陽の軌道エネルギーは、１．９７５×１０−２３Ｊ・ｍ÷軌道である。
それで、太陽の軌道エネルギーは地球の軌道エネルギーの、
１．９７５×１０−２３÷（１．１×１０−４１）＝１．７９５×１０１８倍です。この場合は、肉眼で見えるとして計算した。それで、軌道エネルギーはすばる望遠鏡で見える場合の３．６×１０５倍となっている。
１光年の軌道エネルギーは地球の軌道エネルギーの、
３．４６８×１０−２４÷（１．１×１０−４１）＝３．１５３×１０１７倍です。この場合は、すばる望遠鏡で見えるとして計算した。それで、太陽の軌道エネルギーより小さい。
１０ｎ光年の軌道エネルギーは地球の軌道エネルギーの、
３．４６８×１０−２４＋ｎ÷（１．１×１０−４１）＝３．１５３×１０１７＋ｎ倍です。
地球の軌道エネルギーを１とすると、
１光年の軌道に於いては、３．１５３×１０１７倍です。
１０光年の軌道に於いては、３．１５３×１０１８倍です。
１００光年の軌道に於いては、３．１５３×１０１９倍です。
１０００光年の軌道に於いては、３．１５３×１０２０倍です。
１万光年の軌道に於いては、３．１５３×１０２１倍です。
１０万光年の軌道に於いては、３．１５３×１０２２倍です。
１００万光年の軌道に於いては、３．１５３×１０２３倍です。
１０００万光年の軌道に於いては、３．１５３×１０２４倍です。
１億光年の軌道に於いては、３．１５３×１０２５倍です。
１０億光年の軌道に於いては、３．１５３×１０２６倍です。
１００億光年の軌道に於いては、３．１５３×１０２７倍です。
地球の軌道エネルギーは太陽の軌道エネルギーの１．１×１０−４１÷（１．９７５×１０−２３）＝５．５７×１０−１９倍である。
この事は、地球は岩石であり、地球のエネルギーは太陽のエネルギーの一部分を受けているだけであることを示している。
遠くの軌道ほどエネルギー密度は大きい。
それで、遠くの星ほどエネルギー密度が大きい。
ビッグバンに近い星やクエーサーほどエネルギー密度は大きい。
ビッグバンのエネルギー密度は１番大きい。
１５０億光年の軌道のエネルギー密度は、地球を１とした場合、
１００億光年の１．５倍であるから、１．５×３．１５３×１０２７＝４．５７９５×１０２７倍である。
このエネルギー密度の比較はインフレーション後のエネルギー密度の比較である。
８  宇宙の軌道において、大きさはどれ位になるか。
大きさはエネルギー密度分の１である。
地球においての大きさを１とすると、
太陽に於いては、１÷（１．７９５×１０１８）＝５．５７１×１０−１９倍です。
１光年の軌道に於いては、１÷（３．１５３×１０１７）＝３．１７２×１０−１８倍です。
１０ｎ光年の軌道に於いては、３．１７２×１０−１８−ｎ倍です。
１０光年の軌道に於いては、３．１７２×１０−１９倍です。
１００光年の軌道に於いては、３．１７２×１０−２０倍です。
１０００光年の軌道に於いては、３．１７２×１０−２１倍です。
１万光年の軌道に於いては、３．１７２×１０−２２倍です。
１０万光年の軌道に於いては、３．１７２×１０−２３倍です。
１００万光年の軌道に於いては、３．１７２×１０−２４倍です。
１０００万光年の軌道に於いては、３．１７２×１０−２５倍です。
１億光年の軌道に於いては、３．１７２×１０−２６倍です。
１０億光年の軌道に於いては、３．１７２×１０−２７倍です。
１００億光年の軌道に於いては、３．１７２×１０−２８倍です。
この事は、地球はいかに物の大きさが大きいかを示している。
磁気の光子は電子にラブをクロス回転しているので、磁気の光子の軌道は原子の大きさの１／２である。
それで、磁気の光子の大きさの比較は原子の大きさの比較である。
磁気の光子の軌道が大きいほど原子の大きさは大きい。
地球の原子の大きさは、太陽の原子の大きさの１．９７５×１０−２３÷（１．１×１０−４１）＝１．７９５×１０１８倍である。
地球の原子の大きさが１０−９ｍであるとすると、太陽の原子の大きさは、１０−９ｍ×５．５７１×１０−１９＝５．５７１×１０−２８ｍである。
１００億光年のクエーサーの原子の大きさは、１０−９ｍ×３．１７２×１０−２８＝３．１７２×１０−３７ｍである。
遠くの軌道ほど原子の大きさは小さい。
ビッグバン軌道はエネルギー密度は最大であるから、大きさは最小なのに、エネルギーは最大である。
９  宇宙の軌道に於いて、磁気の光子のエネルギーはどれ位か。
宇宙の軌道に於ける、磁気の光子のエネルギーを、各々の軌道エネルギーの式によって求める。（図５）
例えば、１００億光年に於ける、磁気の光子の軌道エネルギーの式によって求める場合。
１００億光年の軌道を中心に、１０５光年の軌道（地球から１０５光年の軌道）の軌道エネルギーは、３．４６８×１０−１４Ｊ・ｍ÷（２×１０５×９．４６×１０１５ｍ）＝１．８３３×１０−３５Ｊです。
１００億光年の軌道を中心に、１０８光年の軌道（地球から１０２光年の軌道）の軌道エネルギーは、３．４６８×１０−１４Ｊ・ｍ÷（２×１０８×９．４６×１０１５ｍ）＝１．８３３×１０−３８Ｊです。
１００億光年の軌道を中心に、１０１０光年の軌道（地球のある軌道）の軌道エネルギーは、
３．４６８×１０−１４Ｊ・ｍ÷（２×１０１０×９．４６×１０１５ｍ）＝１．８３３×１０−４０Ｊです。
例えば、１００万光年に於ける、磁気の光子の軌道エネルギーの式によって求める場合。
１００万光年の軌道を中心に、１０光年の軌道（地球から１０５光年の軌道）の軌道エネルギーは、
３．４６８×１０−１８Ｊ・ｍ÷（２×１０×９．４６×１０１５ｍ）＝１．８３３×１０−３５Ｊです。
１００万光年の軌道を中心に、１０４光年の軌道（地球から１０２光年の軌道）の軌道エネルギーは、
３．４６８×１０−１８Ｊ・ｍ÷（２×１０４×９．４６×１０１５ｍ）＝１．８３３×１０−３８Ｊです。
１００万光年の軌道を中心に、１０６光年の軌道（地球のある軌道）の軌道エネルギーは、
３．４６８×１０−１８Ｊ・ｍ÷（２×１０６×９．４６×１０１５ｍ）＝１．８３３×１０−４０Ｊです。
このように、宇宙の軌道に於ける、磁気の光子のエネルギーは一定です。
一般式で説明する。
１０ｎ光年を中心に、１０ｎ光年の式を使って、１０ｍ光年の軌道エネルギーを求めると、軌道は２×１０ｎ−ｍ光年である。例えば、１０１０光年を中心に、１０１０光年の式を使って、１０２光年の軌道エネルギーを求めると、軌道は１０１０−２＝１０８光年である。
それで、１０ｎ光年の軌道に於ける、磁気の光子の軌道エネルギーの式は、３．４６８×１０−２４＋ｎＪ・ｍ÷軌道ですから、
１０ｍ光年の軌道エネルギーは、
３．４６８×１０−２４＋ｎＪ・ｍ÷（２×１０ｎ−ｍ×９．４６×１０１５ｍ）＝１．８３３×１０−４０＋ｍＪである。
このように、宇宙の軌道に於ける、磁気の光子のエネルギーは一定です。
地球の軌道では、１．８３３×１０−４０Ｊです。
１０光年の軌道では、１．８３３×１０−３９Ｊです。
１００光年の軌道では、１．８３３×１０−３８Ｊです。
１０００光年の軌道では、１．８３３×１０−３７Ｊです。
１万光年の軌道では、１．８３３×１０−３６Ｊです。
１０万光年の軌道では、１．８３３×１０−３５Ｊです。
１００万光年の軌道では、１．８３３×１０−３４Ｊです。
１０００万光年の軌道では、１．８３３×１０−３３Ｊです。
１億光年の軌道では、１．８３３×１０−３２Ｊです。
１０億光年の軌道では、１．８３３×１０−３１Ｊです。
１００億光年の軌道では、１．８３３×１０−３０Ｊです。
次に、宇宙の軌道に於ける、磁気の光子の軌道エネルギーの式と、エネルギー密度の比較と、大きさの比較と、磁気の光子のエネルギーを示す。
2005020990.tif 000003
2005020990.tif 000004
１０  宇宙の軌道に於ける、磁気の光子のエネルギーが前回と今回では異なるのはどうしてか。
前回、２００４年１月２４日に提出した特許出願『光子の軌道とエネルギーと宇宙の軌道』の４９番で、距離（宇宙の軌道）に於ける磁気の光子１個のエネルギーの値を算出した。
この値は、
Ａ×９．４８７×１０４Ｊ・ｍ÷軌道ｍ×３．６×１０５＝６．６×１０−３５Ｊ
軌道をＴ光年とすると、
Ａ×９．４８７×１０４Ｊ・ｍ÷（２×Ｔ×９．４６×１０１５ｍ）×３．６×１０５＝６．６×１０−３５Ｊ
Ａ＝３．６７×１０−２９Ｊ×Ｔ
この式からＴ光年から出発した磁気の光子のエネルギーＡを求めた。
それをマクロの軌道（宇宙の軌道）に於ける、磁気の光子のエネルギーとした。
そして、その軌道を、軌道＝１．１×１０−４１Ｊ・ｍ÷エネルギーで求めた。
それをマクロの軌道（宇宙の軌道）に於ける、（磁気の光子の）軌道とした。
それで、軌道は、
１．１×１０−４１Ｊ・ｍ÷エネルギー＝１．１×１０−４１Ｊ・ｍ÷（３．６７×１０−２９Ｊ×Ｔ）＝３×１０−１３ｍ÷Ｔであるとした。
前回、それによってできた値は、次のようである。
2005020990.tif 000005
2005020990.tif 000006
今回は、１個の磁気の光子の軌道エネルギーの式から求めた。
ＣＪ・ｍ÷（２×Ｔ×９．４６×１０１５ｍ）×３．６×１０５＝６．６×１０−３５Ｊ
＝３．４６８３×１０−２４×ＴＪ・ｍ÷軌道である。
この式からＴ光年の軌道に於ける磁気の光子の軌道エネルギーの式を求めた。
そして、その式によって、宇宙の軌道に於ける磁気の光子のエネルギーを求めた。
それで、Ｃの値は、前回の磁気の光子１個のエネルギー＝Ａの（９．４８７×１０４）倍の値となった。
地球のある軌道の磁気の光子のエネルギーが１．８３３×１０−４０Ｊであるのは、６．６×１０−３５Ｊ÷（３．６×１０５）＝１．８３３×１０−４０Ｊとしたからである。
１１  宇宙の軌道の長さ×宇宙の軌道に於ける磁気の光子の軌道エネルギーは一定である。
宇宙の軌道１０ｎ光年に於ける磁気の光子の軌道エネルギーは３．４６８×１０−２４＋ｎＪ・ｍ÷軌道である。
宇宙の軌道は、地球の存在する軌道を１５０億光年とすると、
地球の存在する軌道＝１５０×１０８×２×９．４６×１０１５ｍ＝２．８３８×１０２５ｍ
それで、０光年の軌道の長さは、２．８３８×１０２５ｍであり、
１０光年の軌道の長さはその１／１０である。
１０ｎ光年の軌道の長さは、その１０−ｎ倍である。
１０ｎ光年の軌道の長さは、２．８３８×１０２５×１０−ｎである。
それで、
宇宙の軌道の長さ×宇宙の軌道に於ける磁気の光子の軌道エネルギーの式
＝２．８３８×１０２５ｍ×１０−ｎ×３．４６８×１０−２４＋ｎＪ・ｍ÷軌道
＝９．８４２×１０Ｊ・ｍ÷軌道であり、一定である。
又、宇宙の軌道の円周の長さ×宇宙の軌道に於ける磁気の光子の軌道エネルギーも一定である。
宇宙の軌道の円周の長さ＝２πｒ＝π×軌道＝π×２．８３８×１０２５×１０−ｎであるから、宇宙の軌道の円周の長さ×宇宙の軌道に於ける磁気の光子の軌道エネルギーの式
＝π×２．８３８×１０２５×１０−ｎ×３．４６８×１０−２４＋ｎＪ・ｍ÷軌道
＝π×９．８４２×１０Ｊ・ｍ÷軌道であり、一定である。
【発明の効果】
【０００６】  この発明により、太陽の磁気の光子の軌道エネルギーの式を求めることができた。その太陽の式によって各々の惑星の軌道に届く磁気の光子のエネルギーを算出することができた。それによって、磁気の光子の軌道エネルギーの式は、軌道がいかに大きくても成立することが理解できた。それで、星の磁気の光子の軌道エネルギーの式を求めることができた。そして、すばる望遠鏡で大部分の星やクエーサーが見えることから、６．６×１０−３５Ｊ÷（３．６×１０５）＝１．８３３×１０−４０Ｊのエネルギーが地球の軌道に届いているとして、宇宙の軌道に於ける磁気の光子の軌道エネルギーの式を求めることができた。
今回得た値が前回得た値とほぼ同じであることから、光子のエネルギーは全て、Ｅ＝定数Ｊ・ｍ÷軌道の軌道エネルギーであることが証明できた。
光子のエネルギーは軌道エネルギーである。これは光子のエネルギーの原理である。
この式によって、宇宙の軌道に於ける磁気の光子の軌道エネルギーと、地球の軌道エネルギーの比較ができた。
そして、地球が宇宙に於いて、いかにエネルギー密度が小さく、物の大きさが大きな惑星であるかを理解できた。
地球は岩石であり、燃える星ではない事、そして、宇宙の軌道の大きな球周に存在する事により、軌道エネルギーが小さいことが理解できた。これは大いなる発見である。
宇宙の中で、地球は桁外れに物の大きさが大きな点である。
【図面の簡単な説明】
【図１】地球の磁気の光子の軌道エネルギーの式。Ｅ＝１．１×１０−４１Ｊ・ｍ÷軌道。
【図２】太陽の磁気の光子の軌道エネルギーの式から、惑星の軌道での太陽の磁気の光子の軌道エネルギーを求める。Ｅ＝１．９７４７２×１０−２３Ｊ・ｍ÷（２×太陽と惑星との距離）。
【図３】冬の大６角型である、シリウス、プロキオン、カペラ、カストル、アルデバラン、リゲルの磁気の光子の軌道エネルギーの式。一般式はＢ×１．１×１０−４１Ｊ・ｍ÷（２×地球と星との距離）＝６．６×１０−３５ＪＢ×１．１×１０−４１Ｊ・ｍ÷軌道である。
【図４】宇宙の軌道に於ける、磁気の光子の軌道エネルギーの式。一般式は、３．４６８×１０−２４×ＴＪ・ｍ÷軌道である。
【図５】宇宙の軌道に於ける、磁気の光子のエネルギーは一定である。１００億光年の軌道に於ける、磁気の光子の軌道エネルギーの式によって求める場合と、１００万光年の軌道に於ける、磁気の光子の軌道エネルギーの式によって求める場合を示す。
【符号の説明】
１  軌道      ２  太陽      ３  水星      ４  金星      ５  地球      ６  火星      ７  木星      ８  土星      ９  天王星      １０  海王星      １１  冥王星      １２  シリウス      １３  プロキオン      １４  カペラ      １５  カストル      １６  アンテバラン      １７  リゲル      １８  １００億光年の軌道      １９  １０億光年の軌道      ２０  １億光年の軌道      ２１  １０００万光年の軌道      ２２  １００万光年の軌道      ２３  １０万光年の軌道      ２４  １万光年の軌道      ２５    １０００光年の軌道      ２６  １００光年の軌道      ２７  １０光年の軌道      ２８  １光年の軌道      ２９  地球の軌道
【図１】
2005020990.tif 000007
【図２】
2005020990.tif 000008
【図３】
2005020990.tif 000009
【図４】
2005020990.tif 000010
【図５】
2005020990.tif 000011